(57)【要約】【課題】大人の利用者が子供券（小児券）を使用するのを防止できるようにする。【解決手段】改札口に複数の自動改札機の本体が設置されるときの自動改札システムにおいて、前記複数の自動改札機の本体のうち、一部の自動改札機の本体を子供券を含む全ての乗車券類を処理できる子供処理モードに設定し、他の残りの自動改札機の本体を子供券の処理を禁止し、その子供券を除く他の乗車券類を処理できる普通処理モードに設定する設定手段を設ける。【選択図】      図１
2004258860.tif 000002
【特許請求の範囲】
【請求項１】
改札口に複数の自動改札機の本体が設置されるときの自動改札システムにおいて、
前記複数の自動改札機の本体のうち、一部の自動改札機の本体を子供券を含む全ての乗車券類を処理できる子供処理モードに設定し、他の残りの自動改札機の本体を子供券の処理を禁止し、その子供券を除く他の乗車券類を処理できる普通処理モードに設定する設定手段を設けたことを特徴とする自動改札システム。
【請求項２】
請求項１に記載の自動改札システムにおいて、子供処理モードに設定された自動改札機の本体に対応させてその自動改札機の本体が子供券を処理可能であることを示す案内手段を設けたことを特徴とする自動改札システム。
【請求項３】
請求項１又は２に記載の自動改札システムにおいて、子供処理モードの設定は、監視盤又は駅務機器制御装置等の上位機器で行われることを特徴とする自動改札システム。
【請求項４】
請求項１〜３のいずれかに記載の自動改札システムにおいて、子供処理モードに設定される自動改札機の本体は、駅係員室側の自動改札機の本体であることを特徴とする自動改札システム。
【発明の詳細な説明】
【０００１】
【発明の属する技術分野】
本発明は、自動改札システムに係り、特に、利用者が乗車券類を正しく使用できるようにしたものに関する。
【０００２】
【従来の技術】
従来、この種の自動改札システムで用いられる自動改札機の本体は、磁気券からなる普通乗車券、定期券、回数券、子供券（小児券）等の各種乗車券やストアードフェアカード（ＳＦカード）等のカード類が投入口に投入されると、又は、その自動改札機の本体のアンテナに無線通信機能を備えたＩＣカードからなる非接触券が軽くタッチ、あるいは、そのアンテナにかざされると、乗車券類（本発明で乗車券類というときは、上述の磁気券からなる各種乗車券類、カード類及び非接触券を総称している。）に記憶されているデータが読取られ、その読取られたデータを基に入出場（入場又は出場を意味している。）のための所定の演算処理が行われる。そして、この演算処理の結果、入出場を許可できるときは、ドアが開かれて（自動改札機の本体がノーマルオープン型のときはそのまま）、改札通路の通過が許可され、その演算処理の結果、入出場を許可できないときは、ドアが閉じられて改札通路の通過が阻止されるように構成されている（特許文献１参照。）。
【０００３】
また、上記自動改札機の本体には、乗車券類が乗車料金の安い子供券を処理したとき、その乗車券類の利用者が子供の利用者であることを駅の係員に報知するためのランプが設けられている。したがって、係員は、そのランプが点灯したとき、利用者が子供であるか否かを確認することができる。
【０００４】
【特許文献１】特開２０００−３５８５４９号公報
【０００５】
【発明が解決しようとする課題】
しかしながら、上記従来の自動改札システムで用いられる自動改札機の本体は、乗車券類が有効券のとき、改札通路の通過を許可するように構成されているので、大人が乗車料金の安い有効な子供券を用いて通過するのを許してしまうという不都合があった。
【０００６】
そこで、本発明は、上記不都合を防止するためになされたものであって、その目的は、乗車券類を正しく使用できるようにした自動改札システムを提供することにある。
【０００７】
【課題を解決するための手段】
本発明に係る自動改札システムは、上記目的を達成するために、請求項１に記載の発明は、改札口に複数の自動改札機の本体が設置されるときの自動改札システムにおいて、前記複数の自動改札機の本体のうち、一部の自動改札機の本体を子供券を含む全ての乗車券類を処理できる子供処理モードに設定し、他の残りの自動改札機の本体を子供券の処理を禁止し、その子供券を除く他の乗車券類を処理できる普通処理モードに設定する設定手段を設けたことを特徴としている。
本発明の請求項２に記載の自動改札システムは、子供処理モードに設定された自動改札機の本体に対応させてその自動改札機の本体が子供券を処理可能であることを示す案内手段を設けたことを特徴としている。
本発明の請求項３に記載の自動改札システムは、子供処理モードの設定は、監視盤又は駅務機器制御装置等の上位機器で行われることを特徴としている。
本発明の請求項４に記載の自動改札システムは、子供処理モードに設定される自動改札機の本体は、駅係員室側の自動改札機の本体であることを特徴としている。
【０００８】
【発明の実施の形態】
以下、本発明の実施の形態を図面に基づいて説明する。図１は、一実施の形態に係る自動改札システムを適用した改札口を示していて、この改札口には、複数の自動改札機の本体（以下、「改札機本体」という。）Ｇ１  ，Ｇ２  …が設置され、これら改札機本体Ｇ１  ，Ｇ２  …によって複数の改札通路Ｐ１  ，Ｐ２  …が形成されている。
【０００９】
図１中、イは、駅の係員（駅員）であって、本発明の駅係員室に相当する改札口の一方側に設けられている係員コーナーロに位置し、図示の例では、改札通路Ｐ１  側にその係員コーナーロが設けられている。また、図示の例では、その改札通路Ｐ１  が子供通路に設定されていて、その旨が改札通路Ｐ１  の上方に位置する天井から吊された案内板ハ（本発明の案内手段に相当している。）に表示されている。なお、この案内は、改札通路Ｐ１  を形成する改札機本体Ｇ１  の筐体Ｈに設けるようにしてもよい。
【００１０】
図１中、ニは、係員コーナーロに設置されている本発明の上位機器に相当する監視盤であって、周知の監視盤と同様に、各改札機本体Ｇ１  ，Ｇ２  …の動作状態を監視するとともに、リセット処理等の所定の遠隔処理ができるように構成されている。さらに、この監視盤ニは、各改札機本体Ｇ１  ，Ｇ２  …を本発明の特徴である後に後述する子供処理モード又は普通処理モードに遠隔で設定できるように構成されている。なお、この設定は、監視盤ニを介して各改札機本体Ｇ１  ，Ｇ２  …の通過人数の集計処理等を行う図示しない駅務機器制御装置、いわゆる駅制を介して行ってもよく、又は、各改札機本体Ｇ１  ，Ｇ２  …に設けられている図示しない係員処理ユニットを介して行ってもよい。
【００１１】
図２は、各改札機本体Ｇ１  ，Ｇ２  …を形成する一対の筐体Ｈ，Ｈの一方の筐体Ｈを改札通路Ｐ１  側から見たの斜視図であって、ここでは、改札機本体Ｇ１  の筐体Ｈが示されている。なお、他の改札機本体Ｇ２  ，Ｇ３  …の筐体Ｈもこの筐体と同一に構成されている。また、この筐体Ｈと対となる他方の筐体は、改札通路Ｐを挾んでこの筐体Ｈと向き合う形で設けられる。
【００１２】
図２中、１は、筐体Ｈの改札通路Ｐ１  の通過方向の進入（入口）側に設けられた磁気券からなる乗車券類の投入口、２は、その筐体Ｈの上面で改札通路Ｐの進出（出口）側に設けられた取出口であり、３は、その取出口２の近傍で改札通路Ｐの進出側に設けられた利用者に対して文字により所定の内容を案内するための表示画面である。また、図２中、４は、利用者に対して音声により所定の内容を案内するためのスピーカである。
【００１３】
上記投入口１及び取出口２間の筐体Ｈ内には、図示しないカードハンドラが設けられている。このカードハンドラは、投入口１から投入された乗車券類を取出口２又は筐体Ｈ内に設けられた図示しない集札箱まで搬送させることができるように構成されている。そして、その搬送の途中において、投入口１に投入された乗車券類に記録されているデータを読取り、新たなデータを書込み、必要に応じてパンチや印字を行い、利用者へ返却する必要のある乗車券類を取出口２に排出し、筐体Ｈ内に回収する必要のある乗車券類を集札箱へ集札できるように構成されている。上記投入口１には、図示しないがシャッタ機構が設けられていて、シャッタ機構で投入口１が閉じられているときは、当然に乗車券の投入口１への投入は阻止される。
【００１４】
図２中、ａはアンテナであって、筐体Ｈの投入口１側の上面に設けられていて、図示しない無線通信機能を備えたＩＣカードからなる非接触券と交信できるように構成されている。
【００１５】
図２中、Ｂはセンサ取付ボックスであって、筐体Ｈの上面で、かつ、改札通路Ｐ１  と反対側に設けられ、その改札通路Ｐ１  に沿って設けられている。このセンサ取付ボックスＢ内には、反射型センサからなる人間検知器Ｓ１  〜Ｓ３  が改札通路Ｐ１  の入口側、中央部及び出口側にそれぞれ内蔵されていて、改札通路Ｐ１  内の大人の利用者を検知することができるように構成されている。すなわち、この反射型センサからなる人間検知器Ｓ１  〜Ｓ３  は、改札通路Ｐ１  の床面から所定の高さに向けて光線を照射する発光素子と、その照射された光線が物体（利用者）に当たって反射してきた光線（反射光）を受光する受光素子とにより構成されている。
【００１６】
図２中、Ｓ１０〜Ｓ１５は、光電素子からなる透過型センサからなる人間検知器であって、一対の筐体Ｈ，Ｈ間の改札通路Ｐ側に所定の間隔を保って設けられていて、改札通路Ｐ１  内の利用者位置を検知することができるように構成されている。これら人間検知器Ｓ１０〜Ｓ１５のうち、人間検知器Ｓ１０は改札通路Ｐ１  の入口側に、人間検知器Ｓ１５は改札通路Ｐ１  の出口側に、人間検知器Ｓ１２及びＳ１３は改札通路Ｐ１  の中央部に、人間検知器Ｓ１１は改札通路Ｐの入口側と中央部との中間に、そして人間検知器Ｓ１４は改札通路Ｐ１  の出口側と中央部との中間に設けられている。これら透過型センサからなる人間検知器Ｓ１０〜Ｓ１５は、一方の筐体Ｈの側面に発光素子を有するとともに、他方の筐体Ｈの側面に受光素子を有して構成されている。そして、これら透過型センサからなる人間検知器Ｓ１０〜Ｓ１５で検知され、かつ、上述の反射型センサからなる人間検知器Ｓ１  〜Ｓ３  で検知されないときは、その利用者は子供（小児）の利用者と判定される。また、改札通路Ｐ１  の中央部に設けられた一対の人間検知器Ｓ１２，Ｓ１３は、利用者が改札通路Ｐ１  の中央部に達したことを検知するとともに、検出順序により改札通路Ｐ１  内の利用者の移動方向を判定するために用いられている。
【００１７】
図２中、Ｌは、上記センサ取付ボックスの改札通路Ｐ１  の出口側に設けられた多色に点灯可能なランプであって、このランプが白色点灯したときは、利用者が子供の利用者であることを示し、赤色点灯したときは、無札者（無効券所持者を含む）が発生したことを係員ニに報知できるように構成されている。
【００１８】
図２中、Ｄ１  ，Ｄ２  は、改札通路Ｐ１  を開閉するドアであり、これらドアＤ１  ，Ｄ２  のうち、ドアＤ１  は改札通路Ｐ１  の出口側に設けられ、ドアＤ２  はその入口側に設けられている。そして、これらドアＤ１  ，Ｄ２  は、改札機本体Ｇを統括的に制御する後述する制御器Ｃにより駆動されるように構成されている。なお、図示しない他方の筐体Ｈにも、筐体ＨのドアＤ１  ，Ｄ２  に対応した位置にドアが設けられている。また、ドアＤ２  は、改札機本体Ｇ１  が稼動を停止したときに閉じられるドアであり、さらに、改札機本体Ｇ１  がノーマルオープン型のときや双方向型のときは、このドアＤ２  は、図１の矢印方向と反対方向から進入してくる利用者に対して改札通路Ｐの出口側のドアとなる。本実施の形態では、改札機本体Ｇ１  を入場用にも出場用にも使用できる双方向型に設定されている。
【００１９】
制御器Ｃは、図３に示されるように、メモリ１０に格納されているシステムプログラム及びワーキングデータを用いて所定の入出場の演算処理を行う中央処理部（ＣＰＵ）１１を有している。制御器ＣのＣＰＵ１１は、図示しないＩ／Ｏユニットを介して磁気券からなる乗車券類を処理するカードハンドラ１２と、ドアＤ１  ，Ｄ２  を駆動制御するドアドライバ１３と、人間検知装置（Ｓ１  〜Ｓ３  ，Ｓ１０〜Ｓ１５）からの信号を処理する人間検知器ユニット１４と、アンテナａを介して非接触券に記録されているデータを読取るととも、新たなデータを書込むためのリーダライタ１５と、ランプＬを点灯制御するランプドライバ１６と、監視盤ニ側と通信を行うための通信制御１７とが接続されている。なお、ＣＰＵ１１には、表示画面３を駆動制御する表示ドライバや係員処理ユニット等の機器も接続されているが、ここでは省略されている。
【００２０】
上記改札機本体Ｇ１  （他の改札機本体Ｇ２  ，Ｇ３  …も同じ）が監視盤ニを介して（又は駅制、あるいは改札機本体Ｇ１  の係員処理ユニットを介して）子供処理モードに設定されたときは、有効な子供券、その他の有効な乗車券類が使用されたときに改札通路Ｐの通過が許可され、その改札機本体Ｇ１  が普通処理モードに設定されたときは、有効な子供券（小児券）が使用されてもドアが閉じられて改札通路Ｐ１  の通過が阻止されるように構成されている。なお、これらモードの設定において、改札機本体Ｇ１  ，Ｇ２  …が子供処理モードに設定されたときは、子供処理モードとなり、その子供処理モードの設定が解除されたときには、普通モードとなる。つまり、普通モードの設定は、子供処理モードを解除することであり特別な設定を行う必要がない。もちろん、普通モードの設定も特別に行うようにしてもよい。
【００２１】
以下、図４のフローチャートを用いて制御動作について説明する。今、図１において改札機本体Ｇ１  のみが子供処理モードに設定され、他の改札機本体Ｇ２  ，Ｇ３  …は普通処理モードに設定されているものとする。そして、改札機本体Ｇ１  において有効な子供券が使用されたときは、ランプＬが白色点灯し、ドアＤ１  が開かれて（改札機本体Ｇ１  がノーマルオープン型のときはそのまま）、利用者の通過が許可される（ステップ１００肯定、ステップ１０２）。この際、係員は、ランプＬが白色点灯したことにより、利用者が子供であるか否かを確認し、もし、その利用者が大人と思われるときは、その利用者から事情を聞くことができる。もちろん、無効な子供券又はその他の乗車券類が使用されたときは、ドアＤ１  が閉じられるとともに、ランプＬは赤色点灯し、そして、表示画面３には、精算案内等の所定の案内が行われる。
【００２２】
普通処理モードに設定されている改札機本体Ｇ２  ，Ｇ３  …で有効な子供券が使用されたときは、その子供券の利用者が人間検知器Ｓ１  〜Ｓ３  ，Ｓ１０〜Ｓ１５で子供と判定された場合でも、ドアＤ１  が閉じられて改札通路Ｐ２  の通過が阻止され、表示画面３には、改札機本体Ｇ１  の利用案内が行われる。また、この場合もランプＬが白色点灯し、利用者が子供であることが係員イに報知される（ステップ１００否定。ステップ１０４肯定、ステップ１０６）。
【００２３】
普通モードに設定されている改札機本体Ｇ２  ，Ｇ３  …において、有効な子供券以外の乗車券類が使用されたときは、ドアＤ１  が開かれて改札通路Ｐ２  ，Ｐ３  …の通過が許可され、その乗車券類が無効券のときは、ドアＤ１  が閉じられて通過が阻止される（ステップ１００否定、ステップ１０４否定、ステップ１０８）。
【００２４】
なお、上述の例では、子供処理モードの設定は、係員イに近い改札機本体Ｇ１  のみとしたが、その隣りの改札機本体Ｇ２  等も子供処理モードに設定してもよい。いずれにしても、子供処理モードに設定する改札機本体は、係員コーナーロに近い方とされる。
【００２５】
【発明の効果】
本発明の請求項１に記載の自動改札システムは、複数の改札機本体のうち、一部の改札機本体を子供券を含む全ての乗車券類を処理できる子供処理モードに設定し、他の残りの改札機本体を子供券の処理を禁止し、その子供券を除く他の乗車券類を処理できる普通処理モードに設定する設定手段を設けたので、大人が子供券を使用するのを未然に防止することが可能となる。
本発明の請求項２に記載の自動改札システムは、子供処理モードに設定された改札機本体に対応させてその改札機本体が子供券を処理可能であることを示す案内手段を設けたので、子供券を利用できる改札機本体を効率よく案内することができる。
本発明の請求項３に記載の自動改札システムは、子供処理モードの設定は、監視盤又は駅務機器制御装置等の上位機器で行われるので、子供処理モードの設定を容易に行うことができる。
本発明の請求項４に記載の自動改札システムは、子供処理モードに設定される改札機本体を駅係員室側の改札機本体としたので、大人が子供券を使用するのをより防止することができる。
【図面の簡単な説明】
【図１】本発明の一実施の形態に係る自動改札システムを適用した改札口の一例である。
【図２】本発明の一実施の形態に係る自動改札システムで用いられる改札機本体を構成する一対の筐体のうちの一方の筐体の斜視図である。
【図３】制御器のブロック図である。
【図４】制御動作を示すフローチャートである。
【符号の説明】
Ｇ  自動改札機の本体（改札機本体）
Ｈ１  ，Ｈ２    筐体
Ｄ１  ，Ｄ２    ドア
Ｐ１  ，Ｐ２  …  改札通路
Ｂ  センサ取付ボックス
Ｓ１  〜Ｓ３  ，Ｓ１０〜Ｓ１５  人間検知器
１  投入口
２  取出口
ａ  アンテナ
Ｃ  制御器
Ｌ  ランプ
【図１】
2004258860.tif 000003
【図２】
2004258860.tif 000004
【図３】
2004258860.tif 000005
【図４】
2004258860.tif 000006